(57)【要約】  端子ブロック(3)に設けられたスナップフィット凸部(32)は、根元側が固定されて先端側が自由端となるように延伸する板状の腕部(32e)と、端子カバー(4)に設けられたスナップフィット凹部(47)との掛かり代(32m)を形成するように腕部(32e)の一方の面から突出する爪部(32f)とを有するとともに、爪部(32f)には装着が行われた際に外部に露出する第一連通孔(32fh)設けられ、端子カバー(4)には、装着が行われた際に、第一連通孔(32fh)と一続きで封印ワイヤー(51)を挿通するための第二連通孔(47h)が設けられている。
2017134766.tif 000002
【特許請求の範囲】
【請求項１】
第一部材に第二部材を装着した際にスナップフィット結合が形成できるよう、前記第一部材に設けられたスナップフィット凸部と、前記第二部材に設けられたスナップフィット凹部と、を備え、
前記スナップフィット凸部は、根元側が前記第一部材側に固定されて先端側が自由端となるように延伸する板状の腕部と、前記スナップフィット凹部との掛かり代を形成するように前記腕部の一方の面から突出する爪部とを有するとともに、前記爪部には前記装着が行われた際に外部に露出する第一連通孔が設けられ、
前記第二部材には、前記装着が行われた際に、前記第一連通孔と一続きで封印ワイヤーを挿通するための第二連通孔が設けられていることを特徴とする封印構造。
【請求項２】
前記第二連通孔は、前記装着が行われた際に、前記爪部が突出する面に対向するように配置されていることを特徴とする請求項１に記載の封印構造。
【請求項３】
前記第二連通孔は、前記装着が行われた際に、前記第一連通孔と密着するように配置されていることを特徴とする請求項１または２に記載の封印構造。
【請求項４】
前記第二部材には、前記装着が行われた際に前記爪部を前記掛かり代が形成された面の裏側から支える、弾性変形可能な背面支持部が形成されていることを特徴とする請求項１または３に記載の封印構造。
【請求項５】
前記腕部は延伸方向を反転させる湾曲部を有し、
前記掛かり代が先端側を向いていることを特徴とする請求項１から３のいずれか１項に記載の封印構造。
【請求項６】
請求項１から４のいずれか１項に記載の封印構造を用いた電力量計であって、
配線に流れる電力を計量する計量部と、
前記配線と前記計量部とを電気接続するための複数の端子が並んだ配線作業面を有する端子ブロックと、
前記端子ブロックに対して着脱自在に構成され、前記配線作業面を覆うための端子カバーと、を備え、
前記端子ブロックが前記第一部材、前記端子カバーが前記第二部材であることを特徴とする電力量計。
【請求項７】
請求項５に記載の封印構造を用いた電力量計であって、
配線に流れる電力を計量する計量部と、
前記配線と前記計量部とを電気接続するための複数の端子が並んだ配線作業面を有する端子ブロックと、
前記端子ブロックに対して着脱自在に構成され、前記配線作業面を覆うための端子カバーと、を備え、
前記端子ブロックが前記第二部材、前記端子カバーが前記第一部材であることを特徴とする電力量計。
【請求項８】
前記爪部は、前記装着が行われた際に、前記爪部が突出する面が当該電力量計の外側を向くように形成されていることを特徴とする請求項６または７に記載の電力量計。
【発明の詳細な説明】
【技術分野】
【０００１】
本発明は、不当改造を防止するため、ある部材から他の部材を取り外した際の痕跡を残す封印構造、およびそれを用いた電力量計に関する。
【背景技術】
【０００２】
不当な計量等を目的とする配線の改変（不当改造）を防止するため、電力量計には、端子カバーを本体に取り付けるネジに封印用のワイヤーを挿通するための連通孔を設け、封印構造を構築するようにしていた（例えば、特許文献１参照。）。一方、こうした電力量計の工事の際には、封印用のワイヤーを切った後に、カバーを外すためのネジを回す必要があり、作業工数が多いだけでなく、工具の取り換えも必要で作業が煩雑であった。そこで、ネジに代えてスナップフィットでカバーを取り付けるようにするとともに、スナップフィットの噛み合いを素手で外せるように、根元部分に対して噛み合い部分の反対側部分を外部まで延長させた端子カバーが提案されている（例えば特許文献２参照。）。
【先行技術文献】
【特許文献】
【０００３】
【特許文献１】特開昭６３−１３５８６７号公報（１頁右欄〜２頁左上欄、第４図〜第５図）
【特許文献２】特開２０１３−２４７６７号公報（段落００２３〜００２６、図３〜図４）
【発明の概要】
【発明が解決しようとする課題】
【０００４】
しかしながら、上述した端子カバーでは、スナップフィット部分と封印部分が離れた位置にあるので、ワイヤーを切らなくともカバーと本体との間に隙間を形成することができる。そのため、改造防止性能を発揮するためには、複数の箇所に封印を施す必要があり、余分な手間がかかっていた。つまり、作業性と改造防止性能を両立させることは困難であった。【０００５】
本発明は、上記のような課題を解決するためになされたもので、作業性と改造防止性能を両立した封印構造およびそれを用いた電力量計を得ることを目的とする。
【課題を解決するための手段】
【０００６】
本発明の封印構造は、第一部材に第二部材を装着した際にスナップフィット結合が形成できるよう、前記第一部材に設けられたスナップフィット凸部と、前記第二部材に設けられたスナップフィット凹部と、を備え、前記スナップフィット凸部は、根元側が前記第一部材側に固定されて先端側が自由端となるように延伸する板状の腕部と、前記スナップフィット凹部との掛かり代を形成するように前記腕部の一方の面から突出する爪部とを有するとともに、前記爪部には前記装着が行われた際に外部に露出する第一連通孔が設けられ、前記第二部材には、前記装着が行われた際に、前記第一連通孔と一続きで封印ワイヤーを挿通するための第二連通孔が設けられていることを特徴とする。
【発明の効果】
【０００７】
本発明の封印構造によれば、スナップフィットの爪部に、外部に露出する封印用の連通孔を設けるようにしたので、工具の取り換えが不要で作業性に優れ、かつ封印を解除しなければ不当改造できない封印構造を得ることができる。また、この封印構造を用いることで、作業性と不当改造防止性を両立させた電力量計を得ることができる。
【図面の簡単な説明】
【０００８】
【図１】本発明の実施の形態１にかかる電力量計の端子カバーを外した状態と取り付けた状態のそれぞれの外観を示す斜視図である。
【図２】本発明の実施の形態１にかかる電力量計の端子カバーを端子ブロックに取り付ける工程後半部分の、工程ごとの封印構造部分の状態を示す部分断面図である。
【図３】本発明の実施の形態１にかかる電力量計の端子カバーを端子ブロックに取り付ける際の、工程ごとの嵌め合い構造部分の状態を示す部分断面図である。
【図４】本発明の実施の形態１にかかる電力量計において端子カバーを端子ブロックに取り付ける際の工程ごとの状態を示す断面図である。
【図５】本発明の実施の形態１にかかる電力量計の封印完了時および端子カバーを外した状態での封印構造部分の外観を示す部分斜視図である。
【図６】本発明の実施の形態１の変形例にかかる電力量計の端子カバー取り付け中、および封印完了後のそれぞれの封印構造部分の状態を示す部分断面図である。
【図７】本発明の実施の形態１の変形例にかかる電力量計の封印完了後の封印構造部分の外観を示す部分斜視図である。
【図８】本発明の実施の形態２にかかる電力量計の端子カバー取り付け前と、封印完了時の封印構造部分の外観を示す部分斜視図である。
【図９】本発明の実施の形態２にかかる電力量計の端子カバー取り付け前から封印完了までの工程ごとの封印構造部分の状態を示す部分断面図である。
【図１０】本発明の実施の形態２にかかる電力量計において、スナップフィット結合された状態からスナップフィットの噛みあいを外す際の動作を示す部分断面図である。
【図１１】本発明の実施の形態３にかかる電力量計の端子カバーを外した状態と取り付けた状態のそれぞれの外観を示す斜視図である。
【図１２】本発明の実施の形態３にかかる電力量計の端子ブロックと端子カバーに設けた封印構造部分の外観を示す部分斜視図である。
【図１３】本発明の実施の形態３にかかる電力量計の端子カバー取り付け前から封印完了までの工程ごとの封印構造部分の状態を示す部分断面図である。
【図１４】本発明の実施の形態３にかかる電力量計の封印完了後の封印構造部分の外観を示す部分斜視図である。
【図１５】本発明の実施の形態３にかかる電力量計において、封印解除後に片手でスナップフィットの噛みあいを外す際の動作を示す側面図である。
【図１６】本発明の実施の形態３にかかる電力量計において端子カバーを端子ブロックから取り外す際の工程ごとの状態を示す断面図である。
【図１７】本発明の実施の形態３にかかる電力量計の端子カバーを端子ブロックから取り外す際の、工程ごとの嵌め合い構造部分の状態を示す部分断面図である。
【図１８】本発明の実施の形態３の２つの変形例にかかる電力量計それぞれの端子カバーに端子ブロックを取り付けた際の外観を示す斜視図である。
【発明を実施するための形態】
【０００９】
実施の形態１．
図１〜図５は、本発明の実施の形態１にかかる封印構造あるいはそれを用いた電力量計の構成、あるいは動作を説明するためのもので、図１は右側面側に封印構造、左側面側に嵌合機構が形成された電力量計の端子カバーを外した状態と取り付けた状態のそれぞれの外観を示す斜視図、図２は端子カバーの取付工程のうち、封印完了を含む後半部分の工程ごとの封印構造部分の状態を示すもので図１のＲ−Ｒ線を切断面とする部分断面図、図３は端子カバーを端子ブロックに取り付ける際の工程ごとの左側面側の嵌め合い構造部分の状態を示すもので図１のＬ−Ｌ線を切断面とする部分断面図、図４は端子カバーを端子ブロックに取り付ける際の工程ごとの状態を示すもので、図１のＡ−Ａ線を切断面とする断面図、図５は封印構造が形成された電力量計の右下角部分の状態を示すもので、端子ブロックに端子カバーを取り付けて封印を完了させた時と端子カバーが外されたとき、それぞれの外観を示す部分斜視図である。
【００１０】
本発明の実施の形態１にかかる電力量計１は、図１に示すように、計測した電力量を計量する計量部２と、計量部２と内部で電気接続されるとともに、計量部２に連なるように機械的に固定された端子ブロック３と、端子ブロック３を覆うように着脱自在に取り付けられる端子カバー４とを備える。ここで、電力量計１および封印構造（後述するスナップフィット凸部３２とスナップフィット凹部４７との組み合わせ）の構成の説明に当たり、方向について定義しておく。図において、ｚ方向を電力量計１の厚み方向と定義し、正側（操作・表示面側）を表、負側（設置面側）を裏とする。そして、ｘ方向を電力量計１の横方向と定義し、正側を右、負側を左とする。さらに、ｙ方向を電力量計１の縦方向と定義し、正側を上、負側を下とする。なお、電力量計１の実際の取り付け状態においては、端子ブロック３側が下側になるように、縦方向を鉛直方向に揃えて、裏側が壁等に固定されることが想定される。
【００１１】
端子ブロック３は、合成樹脂で形成された箱状をなし、上部に計量部２との図示しない接続部が形成され、図示しない電源側回路および負荷側回路に接続するための複数の端子３ｃが下部から配線を挿入できるように配置され、端子３ｃのそれぞれに対応して、設置面の反対側である配線作業面３ｔ側には、配線との接続作業のための複数の作業口３ａが配列されている。そして、右側部３ｓＲには、（端子カバー４のスナップフィット凹部４７と組み合わされて）封印構造を構成するスナップフィット凸部３２が、左側部３ｓＬには、（端子カバー４の嵌合凸部４３と組み合わされて）嵌め合い構造を形成する嵌合凹部３３が形成されている。
【００１２】
端子カバー４は、縦方向から見たときにＵ字状をなすように合成樹脂で一体形成され、端子ブロック３に取り付けた際に配線作業面３ｔを覆う天板部４ｔと、右側部３ｓＲを覆って（スナップフィット凸部３２と組み合わされて）封印構造を構成するスナップフィット凹部４７が形成された右側板部４ｓＲと、左側部３ｓＬを覆って（嵌合凹部３３と組み合わされて）嵌め合い構造を構成する嵌合凸部４３が形成された左側板部４ｓＬとが設けられている。
【００１３】
＜封印構造（スナップフィット機構）＞
本発明の各実施の形態にかかる封印構造は、噛みあわせを行うスナップフィット機構部分を直接封印するようにしたものである。そこで、はじめに、封印構造として、端子ブロック３と端子カバー４の右側に形成されるスナップフィット機構について説明する。スナップフィット機構は、結合対象の部品うち、一方に凸状部を、他方に凹状部を設け、材料の弾性を利用して、凸状部を凹状部にはめ込んで引っ掛けることにより結合を行う機構である。
【００１４】
上述した凸状部に対応するスナップフィット凸部３２は、図２（ａ）の左側に示すように、右側部３ｓＲの裏面に近い部分から延びる弾性変形可能な腕部３２ｅと、断面形状が略三角形をなす爪部３２ｆとで構成され、端子ブロック３と一体形成されている。具体的には、腕部３２ｅは薄板状をなし、両面がｙ軸に平行になるようにｚ方向に延伸させることで、ｘｚ面内で湾曲可能な片持ち梁型のフック形状をなしている。爪部３２ｆの一方の面（背面と称する。）は、腕部３２ｅの一方の面（図中右側の面）と面一に形成されている。他方の面（主面と称する。）は、腕部３２ｅに対して突出し、ｘｙ面での広がりを有する掛かり代３２ｆｍが形成されることで、スナップフィット凹部４７と噛みあうことができる。
【００１５】
掛かり代３２ｆｍの深さＤｍおよび幅Ｗｍ（＝スナップフィット凸部３２自体の幅：図５の右側参照）は、端子カバー４の固定に必要な強度を有するように設定している。そして、腕部３２ｅの湾曲による爪部３２ｆの変位可能量Ｌｄは、少なくとも深さＤｍよりも大きくなるように設定している。また、主面には、スナップフィット凹部４７への挿入を容易にするため、深さＤｍを確保するために最大厚み（Ｔｉ）になった部分から、先に行くほど厚みが薄くなるようにテーパ面３２ｆｔが形成されている。さらに、爪部３２ｆには、図２（ｃ）に示すように、封印ワイヤー５１による封印を可能とするため、連通孔３２ｆｈ（後述する連通孔４７ｈと区別する際、例えば、第一連通孔と称する。）が設けられている。
【００１６】
一方、上述した凹状部に対応し、スナップフィット凸部３２と対をなすスナップフィット凹部４７は、図２（ａ）の右側に示すように、右側板部４ｓＲの一部として形成され、ｘｙ面で開口する開口部４７ａと、開口部４７ａを囲む部分のうち、主面に対向する対向部４７ｇに隣接する表面側の領域である受止部４７ｒと、連通孔４７ｈとで構成している。開口部４７ａは、スナップフィット凸部３２をｚ方向で挿入できるよう、ｘ方向寸法Ｄａをスナップフィット凸部３２の最大厚みＴｉ以上、ｙ方向の寸法である幅Ｗａ（図５の左側参照）をスナップフィット凸部３２の幅Ｗｍよりも大きく設定している。そして、受止部４７ｒとしては、ｘｙ面上に広がる領域のうち、掛かり代３２ｆｍを受ける領域として、深さＤｍ×幅Ｗｍが確保できる部分を指す。
【００１７】
つぎに、スナップフィット機構に形成される連通孔組について説明する。上述した連通孔３２ｆｈとともに連通孔組を形成する連通孔４７ｈ（例えば、第二連通孔と称する。）は、端子カバー４の表面側と裏面とをｘ方向に貫通する貫通孔４７ｈ１と、ｚ方向に貫通する貫通孔４７ｈ２とで構成している。そして、図２（ｃ）に示すように、端子カバー４を端子ブロック３に取り付けた状態で、端子カバー４から露出する爪部３２ｆの連通孔３２ｆｈを含め、一続きで封印ワイヤー５１を挿通していけるように貫通角度と配置を調整している。この封印ワイヤー５１を封印材５２により封印すると、封印ワイヤー５１を切断しない限り、スナップフィット凸部３２の掛かり代３２ｆｍとスナップフィット凹部４７の受止部４７ｒとが噛みあった状態を解除することができなくなる。
【００１８】
また、端子カバー４を端子ブロック３に取り付けた際、腕部３２ｅの主面側と対向部４７ｇが密着したときの背面と端子カバー４の内壁との隙間Ｇｂを深さＤｍ以上にすることで、スナップフィット凸部３２を開口部４７ａからスムーズに挿入できる。一方、隙間Ｇｂは、後述する取り外しの際に、スナップフィット凸部３２の変位量が変位可能量Ｌｄを超えないよう、極端に大きくならないようにもしている。
【００１９】
＜嵌合機構＞
つづいて、スナップフィット機構の配置された部分の反対側、つまり端子ブロック３と端子カバー４の左側に形成されている嵌合機構について説明する。嵌合機構を構成する嵌合凸部４３は、図３（ａ）の左側に示すように、端子カバー４の左側板部４ｓＬに形成され、装着時に端子ブロック３の側面３ｓｆに沿うように、表側から裏側に向けて（ｚ方向）延びる腕部４３ｉと、腕部４３ｉの先端に形成され、内側に向けて（ｘ方向）突出する突出部４３ｐとからなる。突出部４３ｐは、ｘｚ断面形状が略矩形で、縦（ｙ方向）に奥行きを有する略直方体をなす。そして、突出方向（ｘ方向）と奥行き方向に平行で表面側を向く掛かり代４３ｐｍと、掛かり代４３ｐｍと平行で裏面側を向く底面４３ｐｂとが、嵌合凹部３３と噛み合うことで、ｚ方向の動きを制限する。そして、ｙ方向の動きは、図示しない縦方向の両端面が嵌合凹部３３と噛み合うことで制限される。
【００２０】
なお、嵌合機構における腕部４３ｉは、スナップフィット機構における腕部３２ｅのように弾性変形せず、破壊しない限りは変形しない程度の剛性を有し、腕部４３ｉが端子ブロック３の側面３ｓｆと接することで、ｘ方向における正方向への移動を制限する。そして、嵌め合せのための挿入方向（着脱方向：ｘ方向）と、挿入後に移動を制限する方向（制限方向：ｚ方向、ｙ方向）が異なることになる。そのため、後述するように、突出部４３ｐの嵌合凹部３３へのはめ込みは、ｘｚ面内で傾きを持たせて挿入した後、傾きを修整する回転を行う必要がある。そのため、突出部４３ｐには、嵌合凹部３３への挿入を容易にするため、ｚ軸に対して傾斜αを持たせた傾斜面４３ｐｔが形成されている。さらに、嵌合凹部３３に挿入した際に、回転可能なように、突出部４３ｐが嵌合凹部３３内に挿入された状態において、ｘ方向およびｚ方向において隙間を有するように寸法が調整されている。
【００２１】
嵌合凸部４３と対をなす嵌合凹部３３は、図３（ａ）の右側に示すように、突出部４３ｐがはめ込まれるように、断面（ｘｚ面）が凹形状をなし、端子ブロック３の左側部３ｓＬに形成されている。さらに、突出部４３ｐの着脱を誘導するため、傾斜面４３ｐｔの傾斜αに対応した傾斜βを有する誘導面３３ｇが形成されている。具体的には、端子カバー４は、後述するように端子ブロック３に取り付ける際に傾けた状態（角度：θ）で取り付けるが、その際、誘導面３３ｇと傾斜面４３ｐｔが同一線上、もしくは平行になるように、傾斜βは、傾斜αよりも、θに相当する分大きくなるように設定している。
【００２２】
上述した構成を踏まえ、端子カバー４の端子ブロック３への取り付け・取り外しの動作について図２〜図４を用いて説明する。
基本手順としては、着脱方向と制限方向が異なる嵌合機構側の嵌めあわせを完成してから、着脱方向が制限方向と一致するスナップフィット機構の嵌めあわせを完成させるようにする。はじめに、図４（ａ）に示すように、左側板部４ｓＬの方が、右側板部４ｓＲよりも低くなるように端子カバー４を傾斜（θ）させる。その状態で、例えば、端子カバー４を下方（ｚ方向）に平行移動（第一移動Ｔｒ１）させ、図３（ｂ）に示すように、突出部４３ｐを嵌合凹部３３の開口位置（ｚｙ方向）に合わせる。そして、図３（ｃ）に示すように、突出部４３ｐが嵌合凹部３３内に入るように、端子カバー４を右に向かって（ｘ方向）平行移動（第二移動Ｔｒ２）させる。
【００２３】
つぎに、図４（ｂ）、図３（ｄ）に示すように、突出部４３ｐの底面４３ｐｂと嵌合凹部３３の裏面側の開口の角部３３ｃとが接触する部分（ｙ方向に延びる直線部分）を回転軸Ｘｒとして、端子カバー４を時計回りに回転移動（第三移動Ｔｒ３）させる。これにより、掛かり代４３ｐｍが受止部３３ｒと噛み合う嵌合機構の嵌合が完成する。
【００２４】
一方、上述した第三移動Ｔｒ３により、スナップフィット機構の噛み合いも以下のように進行する。第三移動Ｔｒ３自体は回転移動であるが、回転軸Ｘｒからスナップフィット機構が形成された部分までの距離と、回転角度を考慮すると、基本的にはｚ軸方向の平行移動とみなすことができる。そのため、第三移動Ｔｒ３を行うと、端子カバー４の右側板部４ｓＲが端子ブロック３に近づき、開口部４７ａの裏面側から爪部３２ｆが進行することになる。
【００２５】
この第三移動Ｔｒ３段階においては、スナップフィット凸部３２とスナップフィット凹部４７の位置関係は、腕部３２ｅの主面側の面の延長線上に対向部４７ｇが一致する、あるいは、対向部４７ｇの方が多少外側に位置するように配置されている。しかし、爪部３２ｆの進行方向（ｚ方向）の先端は、テーパ面３２ｆｔのために腕部３２ｅの主面側の面よりも外側（左側）に位置する。そのため、爪部３２ｆが開口部４７ａに差し掛かった際には爪部３２ｆと対向部４７ｇとの間には間隔があり、爪部３２ｆを開口部４７ａの縁に当てることなく、スムーズに開口部４７ａ内に進入させることができる。
【００２６】
しかし、爪部３２ｆが進行するにつれ、テーパ面３２ｆｔが対向部４７ｇに当たるようになり、図２（ｂ）に示すように、対向部４７ｇによって外側に向けて押され、腕部３２ｅが背面側に湾曲してゆく。そして、掛かり代３２ｆｍとテーパ面３２ｆｔとの境界部分が対向部４７ｇにさしかかると、掛かり代３２ｆｍの深さＤｍに相当する変位が生じるまで腕部３２ｅが湾曲し、境界部分が対向部４７ｇを過ぎると、図２（ｃ）に示すように、腕部３２ｅは弾性によって元のまっすぐな形状に戻る。このとき、掛かり代３２ｆｍが受止部４７ｒと噛み合い、スナップフィットによる係合が完成する。
【００２７】
これにより、逆方向への移動が制限されるとともに、開口部４７ａの幅Ｗａと爪部３２ｆの幅Ｗｍとの関係（図５）により、爪部３２ｆと開口部４７ａの縁とが接触してｙ方向の移動が制限される。また、順方向（第三移動Ｔｒ３の方向）については、例えば天板部４ｔと配線作業面３ｔとの接触、あるいはその他の部材間の接触によって制限される。また、ｘ方向については前述の嵌合機構における腕部４３ｉと側面３ｓｆとの接触、あるいは図示しない端子カバー４と端子ブロック３との部材間の接触によって制限される。
【００２８】
ここで、端子カバー４から頭を出した爪部３２ｆの連通孔３２ｆｈ、端子カバー４の連通孔４７ｈに、一続きで封印ワイヤー５１を挿通して、余分な撓みが生じないよう適切な長さのループ状にし、封印材５２により封印する。端子カバー４に設けられた連通孔４７ｈは、爪部３２ｆに対し、スナップフィットの結合を解除するための変位方向（右向き）とは逆側（左向き）に設けられている。これにより、封印がなされた後は、封印ワイヤー５１による引っ張り荷重によって、掛かり代３２ｆｍと受止部４７ｒとの噛み合い、つまりスナップフィットによる結合が解除されることがない。
【００２９】
つまり、封印後の封印ワイヤー５１（によるループ）には、余分な撓み代や延び代がない程度に張りを持たせているので、封印ワイヤー５１を切断しない限り、スナップフィットによる結合を解除することはできなくなる。もちろん、前述のように嵌合機構の腕部４３ｉは、力を加えても変形しないだけの剛性を有するので、スナップフィットによる結合が解除されない限り、嵌合機構の結合を解くこともできない。
【００３０】
一方、図２（ｃ）に示す通り、開口部４７ａ部分でのスナップフィット凸部３２と端子カバー４との横方向の隙間Ｇｂは、掛かり代３２ｆｍと受止部４７ｒとの噛み合いを外すのに必要な変位を許容するように設定している。そのため、封印ワイヤー５１による封印がない場合は、端子カバー４から外部に露出した爪部３２ｆを掛かり代の深さＤｍ以上の距離だけ右方向に変位するように手指にて押せば、掛かり代３２ｆｍと受止部４７ｒとの噛み合いを外すことができる。つまり、封印ワイヤー５１を取り外した後には、工具なしにスナップフィットの結合を解除し、上述した第１移動Ｔｒ１から第三移動Ｔｒ３までの工程を逆に行えば、端子カバー４を取り外すことができる。
【００３１】
変形例．
上記実施の形態１においては、爪部３２ｆに設けた連通孔３２ｆｈと端子カバー４に設けた連通孔４７ｈとが離れた位置に設けられていた。そのため、スナップフィット機構の結合を解除できないようにするため、封印ワイヤー５１には、ある程度の張力をかける必要があり、爪部３２ｆに常に応力がかかった状態になっており、部材の劣化を進める可能性があった。そこで、本変形例では、爪部３２ｆの連通孔３２ｆｈと端子カバー４の連通孔４７ｈを近接させるようにした。
【００３２】
図６と図７は、本変形例にかかる封印構造およびそれを用いた電力量計の構成を説明するためのもので、図６は電力量計の端子カバー取り付け中、および封印完了後のそれぞれの右側面部分、つまり封印構造部分の状態を示すもので、図１のＲ−Ｒ線の切断面に対応する部分断面図、図７は電力量計の封印完了後の封印構造部分、つまり電力量計の右下角部分の外観を示す部分斜視図である。なお、封印構造部分以外の部分については、実施の形態１で記載したのと同様であり、説明を省略する。
【００３３】
実施の形態１として説明した電力量計１（図２参照）と比較すると、本変形例では、図６（ａ）に示すように、掛かり代３２ｆｍを形成するために爪部３２ｆが突出する向きを逆側（図中右向き）とし、開口部４７ａに進入する際の変位方向を逆側（図中左向き）にした。それに伴い、開口部４７ａの右側部分が対向部４７ｇとなり、受止部４７ｒも、開口部４７ａ周縁の表側を向く面のうち、右側の領域に形成される。また、端子カバー４の側面４ｓｆを表面側からさらにｚ方向に突出するように伸長させた伸長部４７ｘを設け、連通孔４７ｈを伸長部４７ｘに設けるようにした。
【００３４】
これにより、図６（ｂ）、図７に示すように、爪部３２ｆの連通孔３２ｆｈと端子カバー４の連通孔４７ｈが近接した状態で封印ワイヤー５１を挿通できるので、実施の形態１と比べてループ長さを短くすることができる。そのため、ループを引き延ばしたり、変形したりするのを防ぐために必要な張力が、実施の形態１に比べて小さくなる。その結果、爪部３２ｆにかかる応力が低くなり、部材の劣化を抑え、破損等を抑制することができる。なお、ここで言う近接は、例えば、連通孔３２ｆｈ、４７ｈの深さ（肉厚）よりも連通孔間の距離の方が短くなること、あるいは連通孔３２ｆｈ、４７ｈの径よりも連通孔間の距離の方が短くなることを言う。
【００３５】
その際、連通孔３２ｆｈを、爪部３２ｆのうち、先端部分よりも掛かり代３２ｆｍに近い部分に形成していれば、先端に近い側に形成されている場合よりも、爪部３２ｆにかかるトルクが小さくなる。また、爪部３２ｆの突出部分（掛かり代３２ｆｍとの隣接部分）と伸長部４７ｘとが接触した状態であるならば、さらに応力を緩和できる。また、連通孔３２ｆｈの両側でテーパ面３２ｆｔと伸長部４７ｘが接触するようにすれば、爪部３２ｆにかかる曲げ応力は皆無となるさらによくなる。具体的には、例えば、伸長部４７ｘを先に行くほど左に傾ける、先に行くほど厚くする、あるいは先端部分でテーパ面３２ｆｔと接触する突起を形成するなどしてもよい。
【００３６】
なお、本実施の形態では、電力量計１に用いる封印機構について説明したが、これに限ることはない。基本的には、ある部品に別の部品を装着し、その装着を外した際に痕跡を残す必要がある場合に、本実施の形態および以降の実施の形態にかかる電力量計用の封印構造を適宜利用することができる。
【００３７】
以上のように、本発明の実施の形態１にかかる封印構造によれば、第一部材（端子ブロック３が対応）に第二部材（端子カバー４が対応）を装着した際にスナップフィット結合が形成できるよう、第一部材（端子ブロック３）に設けられたスナップフィット凸部３２と、第二部材（端子カバー４）に設けられたスナップフィット凹部４７と、を備え、スナップフィット凸部３２は、根元側が第一部材である端子ブロック３側に固定されて先端側が自由端となるように延伸する板状の腕部３２ｅと、スナップフィット凹部４７（の受止部４７ｒ）との掛かり代３２ｍを形成するように腕部３２ｅの一方の面から突出する爪部３２ｆとを有するとともに、爪部３２ｆには装着が行われた際に外部に露出する第一連通孔３２ｆｈが設けられ、第二部材である端子カバー４には、装着が行われた際に、第一連通孔３２ｆｈと一続きで封印ワイヤー５１を挿通するための第二連通孔４７ｈが設けられているように構成したので、封印ワイヤー５１の切断に用いた工具から他の工具に取り換え不要で取り外しができ、作業性に優れ、かつ封印を解除しなければ不当改造できない封印構造を得ることができる。つまり、作業性と改造防止性能を両立した封印構造を得ることができた。
【００３８】
また、第二連通孔４７ｈは、装着が行われた際に、爪部３２ｆが突出する面に対向するように配置されているので、封印がなされた後は、封印ワイヤー５１による引っ張り荷重によって、掛かり代３２ｆｍと受止部４７ｒとの噛み合い、つまりスナップフィットによる結合が解除されることがない。
【００３９】
とくに、変形例では、第二連通孔４７ｈは、装着が行われた際に、第一連通孔３２ｆｈに近接する（連通孔の深さ、または径よりも連通孔間の距離の方が短くなる）ように配置されている。このため、離間させた場合（実施の形態１の第一例）と比較して、ループ長さを短くすることができる。そのため、ループを引き延ばしたり、変形したりするのを防ぐために必要な張力が、実施の形態１に比べて小さくなる。さらに、伸長部４７ｘをテーパ面３２ｆｔに合わせた形状にし、第二連通孔４７ｈと第一連通孔３２ｆｈが密着する、あるいは径方向の両側を支え合うようにすれば、ループ長さを最小限にし、ループに何かが引っかかって力がかかることもなくなる。
【００４０】
以上のように、本発明の実施の形態１にかかる電力量計１は、上述した封印構造を用いた電力量計１であって、配線に流れる電力を計量する計量部２と、配線と計量部２とを電気接続するための複数の端子３ｃ（厳密には作業口３ａ）が並んだ配線作業面３ｔを有する端子ブロック３と、端子ブロック３に対して着脱自在に構成され、配線作業面３ｔを覆うための端子カバー４と、を備え、端子ブロック３が上述した封印構造における第一部材、端子カバー４が第二部材に対応するように構成したので、作業性と不当改造防止性を両立させた電力量計を得ることができる。
【００４１】
また、爪部３２ｆは、端子カバー４の装着が行われた際に、爪部３２ｆが突出する面が当該電力量計１の外側を向くように形成した場合、左側（電力量計１におけるスナップフィット機構が形成された部分の反対側）の面と爪部３２ｆを片手の指（例えば、母指と中指）で挟むだけで、スナップフィット解除操作ができる。
【００４２】
実施の形態２．
本発明の実施の形態２にかかる封印構造、およびそれを用いた電力量計の特徴は、スナップフィット機構に、爪部を背面側から支持する構造を取り入れたことである。なお、封印構造部分以外の部分については、実施の形態１で記載したのと同様であり、説明を省略する。
【００４３】
図８〜図９は、本実施の形態２にかかる封印構造およびそれを用いた電力量計の構成を説明するためのもので、図８は電力量計の端子カバー取り付け前と、封印完了時の封印構造部分、つまり電力量計の右下角部分の外観を示す部分斜視図、図９は電力量計の端子カバー取り付け前から封印完了までの工程ごとの封印構造部分の状態を示すもので、図８のＢ−Ｂ線を切断面とする部分断面図、図１０はスナップフィット結合が完了した状態からスナップフィットの噛みあいを外す際の動作を示すためのもので、図８のＢ−Ｂ線を切断面とする部分断面図である。
【００４４】
図８（ａ）および図９（ａ）に示すように、本獅子の形態２にかかる電力量計１の封印構造を構成するスナップフィット凹部４７には、端子ブロック３に取り付けた際に、爪部３２ｆの背面と接触して支持する背面支持部４７ｄが設けられている。具体的には、端子カバー４の右側板部４ｓＲの側面部分のうち、開口部４７ａを挟んで受止部４７ｒとなる領域の反対側に位置する部分を表面側からさらにｚ方向に突出するように伸長させて背面支持部４７ｄ形成している。また、背面支持部４７ｄのｙ方向の両端は、開口部４７ａに連なるｚ方向の切込み４７ｃを設けることによって解放されており、背面支持部４７ｄはｘｚ面内にて湾曲（弾性変形）できる。なお、背面支持部４７ｄに力がかかっておらず、湾曲していない場合の開口部４７ａの間隔Ｇａは、腕部３２ｅの厚みと同等程度になるように設定している。
【００４５】
さらに、背面支持部４７ｄの開口部４７ａにかかる部分には、後述する爪部３２ｆの進入をスムーズに導くための傾斜状のガイド面４７ｄｇが形成されている。また、開口部４７ａの爪部３２ｆの主面に対向する対向部４７ｇは、実施の形態１では、肉厚程度の深さしかなかったが、本実施の形態では、肉厚相当部分からさらに裏面（ｚ方向負）に向かって延長している。そして、対向部４７ｇの爪部３２ｆに対向する面の裏面４７ｇｓの先端部分には、先へ行くほど厚みが薄くなる傾斜面４７ｇｔが形成されている。
【００４６】
一方、スナップフィット凸部３２としては、実施の形態１と同様の爪部３２ｆと腕部３２ｅに加え、本実施の形態２では、腕部３２ｅの主面に対して、間隔Ｇｓをおいて対向するように形成した支持面３２ｓを設けている。間隔Ｇｓは、上述した対向部４７ｇの延長部分の厚みＴｇと同じ、あるいは厚みＴｇより若干広くなる程度に調整している。また、支持面３２ｓの高さ（ｚ方向上限）は、掛かり代３２ｆｍから厚みＴｇ分、背面側に後退した位置に調整している。また、爪部３２ｆには、背面側の先端部分には、上述したガイド面４７ｄｇに対応して傾斜するように形成された背部テーパ面３２ｆｂが設けられている。
【００４７】
つぎに、上述した構成を踏まえ、端子カバー４の端子ブロック３への取り付け・取り外しの動作について説明する。なお、本実施の形態２においても、実施の形態１の図３で説明した嵌合機構部分の動作（第一移動Ｔｒ１〜第二移動Ｔｒ２）については同様であるため、第三移動Ｔｒ３以降のスナップフィット機構部分の動作についてのみ説明する。
【００４８】
実施の形態１で説明した第三移動Ｔｒ３段階においては、スナップフィット凸部３２とスナップフィット凹部４７の位置関係は、腕部３２ｅの主面側の面の延長線上に対向部４７ｇが位置するように配置されている。本実施の形態２では、さらに裏面４７ｇｓが、支持面３２ｓの延長線上に位置するように調整されている。そして、実施の形態１で説明したように、爪部３２ｆの進行方向（ｚ方向）の先端は、テーパ面３２ｆｔによって、腕部３２ｅの主面側の面よりも外側（左側）に位置する。そのため、爪部３２ｆの先端と対向部４７ｇとの間には間隔が生じ、爪部３２ｆの先端が対向部４７ｇの先端に当たることはなく、第三移動Ｔｒ３を始めると、少なくとも、開口部４７ａに向かって進めることはできる。
【００４９】
そして、開口部４７ａに向かって進むにつれ、爪部３２ｆの対向部４７ｇに対向する部分の厚みが増し、爪部３２ｆのテーパ面３２ｆｔは、開口部４７ａに差し掛かる前に、対向部４７ｇの先端部と接触する。さらに進むと、図９（ｂ）に示すように、対向部４７ｇと爪部３２ｆが押し合うようになり、基本的には爪部３２ｆが外側に向けて押され、腕部３２ｅが背面側に湾曲してゆく。一方、支持面３２ｓは、腕部３２ｅよりも曲げ剛性が強くなるように厚みや有効幅等の機械設計を行ってはいるものの、反作用により、爪部３２ｆよりは変位は小さいながら、内側に湾曲する可能性がある。しかし、対向部４７ｇには傾斜面４７ｇｔが形成されているので、支持面３２ｓの縁に当たることなく、間隔Ｇｓ内に進入することができる。
【００５０】
この状態で、さらに第三移動Ｔｒ３を進めると、図９（ｃ）に示すように、爪部３２ｆの先端が開口部４７ａにさしかかり、背面側が背面支持部４７ｄに接触する。そして、背部テーパ面３２ｆｂがガイド面４７ｄｇに沿って移動することで、背面支持部４７ｄが外側に向けて押され、間隔Ｇａが広がる。なお、対向部４７ｇは、その時点では、傾斜面４７ｇｔ部分を抜けて裏面４７ｇｓの平面部分が支持面３２ｓに達するように寸法関係を調整している。そのため、この段階の移動では、爪部３２ｆは支持面３２ｓに支えられた対向部４７ｇによって、姿勢を保持されており、背面支持部４７ｄのみが変形する。
【００５１】
さらに進行すると、掛かり代３２ｆｍとテーパ面３２ｆｔとの境界部分が開口部４７ａを抜け、図９（ｄ）に示すように、腕部３２ｅは弾性によって元のまっすぐな形状に戻る。そして、実施の形態１で説明したのと同様に、掛かり代３２ｆｍが受止部４７ｒと噛み合い、スナップフィットによる係合が完成する。さらに、本実施の形態２においては、爪部３２ｆは、背面支持部４７ｄによって結合が緩む方向である外側への変形を抑制されている。さらに、受止部４７ｒも、対向部４７ｇが介在することで、支持面３２ｓによって結合が緩む方向である内側への変形を抑制されている。
【００５２】
ここで、端子カバー４から頭を出した爪部３２ｆの連通孔３２ｆｈと、背面支持部４７ｄに設けられた連通孔３２ｆｈが隣接する。この状態で、連通孔３２ｆｈと連通孔４７ｈに順次、封印ワイヤー５１を挿通してループ状にし、図８（ｂ）に示すように封印材５２により封印する。連通孔３２ｆｈと連通孔４７ｈは、一体となっているため実施の形態１と比べて、より安定した封印状態の維持が可能となる。また、封印ワイヤー５１による引っ張り荷重によって封印構造が破壊されることもない。また、実施の形態１の変形例と異なり、背面支持部４７ｄを爪部３２ｆの背面側に形成するようにしたので、平板状の部分で支えて連通孔間の密着性を実現できるので、容易に形成することができる。つまり、封印がなされた後は、封印ワイヤー５１による引っ張り荷重によって、掛かり代３２ｆｍと受止部４７ｒとの噛み合い、つまりスナップフィットによる結合が解除されることがない。
【００５３】
上記のように、本実施の形態２にかかる封印構造では、強固なスナップフィット結合が実現できるが、背面支持部４７ｄは、爪部３２ｆと同等以上のｘ軸方向の変位を可能としている。そのため、封印ワイヤー５１を外した後であれば、電力量計１から露出した爪部３２ｆのテーパ面３２ｆｔを、例えば図１０に示すように手指等で押すだけで、爪部３２ｆ（厳密には腕部３２ｅの湾曲）、背面支持部４７ｄを変位させることができる。つまり、封印ワイヤー５１を外した後であれば、工具なしに結合を解除することが可能である。図１０のように爪部３２ｆを変位させた状態で、端子カバー４を操作して上述した第一移動Ｔｒ１〜Ｔｒ３を逆に進めれば、端子カバー４を端子ブロック３から取り外すことが可能である。
【００５４】
以上のように、本発明の実施の形態２にかかる封印構造によれば、第一部材（端子ブロック３が対応）に第二部材（端子カバー４が対応）を装着した際にスナップフィット結合が形成できるよう、第一部材（端子ブロック３）に設けられたスナップフィット凸部３２と、第二部材（端子カバー４）に設けられたスナップフィット凹部４７と、を備え、スナップフィット凸部３２は、根元側が第一部材である端子ブロック３側に固定されて先端側が自由端となるように延伸する板状の腕部３２ｅと、スナップフィット凹部４７（の受止部４７ｒ）との掛かり代３２ｍを形成するように腕部３２ｅの一方の面から突出する爪部３２ｆとを有するとともに、爪部３２ｆには装着が行われた際に外部に露出する第一連通孔３２ｆｈが設けられ、第二部材である端子カバー４には、装着が行われた際に、第一連通孔３２ｆｈと一続きで封印ワイヤー５１を挿通するための第二連通孔４７ｈが設けられているように構成したので、封印ワイヤー５１の切断に用いた工具から他の工具に取り換え不要で取り外しができ、作業性に優れ、かつ封印を解除しなければ不当改造できない封印構造を得ることができる。つまり、作業性と改造防止性能を両立した封印構造を得ることができた。
【００５５】
とくに、第二部材（端子カバー４）には、第一部材（端子ブロック３）への装着が行われた際に爪部３２ｆを掛かり代３２ｆｍが形成された面の裏側から支える、弾性変形可能な背面支持部４７ｄが形成されているので、スナップフィット結合が緩む方向である外側への変形を抑制されている。さらに、受止部４７ｒも、対向部４７ｇが介在することで、支持面３２ｓによって結合が緩む方向である内側への変形を抑制されている。
【００５６】
とくに、第二連通孔４７ｈは、装着が行われた際に、第一連通孔３２ｆｈと密着するように配置されている。あるいは連通孔に対して径方向の両側で支え合うように構成している。このため、ループ長さを最小限に短くすることができる。そのため、ループに何かが引っかかって力がかかることがなく、また、ループを引き延ばしたり、変形したりするのを防ぐために必要な張力が小さくなる。さらには、表面側の隙間がなくなり、不正操作をより困難にする。
【００５７】
また、本発明の実施の形態２にかかる電力量計１は、上述した封印構造を用いた電力量計１であって、配線に流れる電力を計量する計量部２と、配線と計量部２とを電気接続するための複数の端子３ｃ（厳密には作業口３ａ）が並んだ配線作業面３ｔを有する端子ブロック３と、端子ブロック３に対して着脱自在に構成され、配線作業面３ｔを覆うための端子カバー４と、を備え、端子ブロック３が上述した封印構造における第一部材、端子カバー４が第二部材に対応するように構成したので、作業性と不当改造防止性を両立させた電力量計を得ることができる。
【００５８】
また、本実施の形態３においても、端子カバー４の装着が行われた際に、爪部３２ｆが突出する面が当該電力量計１の外側を向くように爪部３２ｆを形成すれば、電力量計１の反対側の面と爪部３２ｆを片手の指（例えば、母指と中指）で挟むだけで、スナップフィット解除操作ができる。
【００５９】
実施の形態３．
本発明の実施の形態３にかかる封印構造、およびそれを用いた電力量計は、上述した各実施の形態と異なり、スナップフィット凸部を端子カバー側に、スナップフィット凹部を端子ブロックに形成している。そして、爪部の露出位置を上述した各実施の形態と同様にするため、腕部をＵ字状に折り返すようにしたことを特徴とする。なお、封印構造部分以外の部分については、実施の形態１で記載したのと同様であり、実施の形態２にならって説明を省略する。
【００６０】
図１１〜図１７は、本発明の実施の形態３にかかる封印構造あるいはそれを用いた電力量計の構成、あるいは動作を説明するためのもので、図１１は電力量計の端子カバーを外した状態と取り付けた状態のそれぞれの外観を示す斜視図、図１２は封印構造が形成された電力量計の右下角部分の状態を示すもので、端子カバー、端子ブロックそれぞれ単体部分と、端子カバーに形成されたスナップフィット凸部を抽出したもの、それぞれの外観を示す部分斜視図、図１３は端子カバーの取付工程の、工程ごとの封印構造部分の状態を示すもので図１１のＲ−Ｒ線を切断面とする部分断面図、図１４は封印完了時の封印構造部分、つまり電力量計の右下角部分の外観を示す部分斜視図、図１５は封印解除後に片手でスナップフィットの噛みあいを外す際の動作を示すためのもので下側から見た際の側面図、図１６は端子カバーを端子ブロックから取り外す際の工程ごとの状態を示すもので、図１１のＡ−Ａ線を切断面とする断面図、図１７は端子カバーを取り外す際の工程ごとの左側面側の嵌め合い構造部分の状態を示すもので図１１のＬ−Ｌ線を切断面とする部分断面図である。
【００６１】
本発明の実施の形態３にかかる封印構造およびそれを用いた電力量計１は、図１１、図１２に示すように、端子カバー４にＵ字状の腕部４２ｅを有するスナップフィット凸部４２を形成し、端子ブロック３にスナップフィット凹部３７を形成している。スナップフィット凸部４２は、腕部４２ｅをＵ字状にし、爪部４２ｆが形成された開放端側からではなく、腕部４２ｅの湾曲部４２ｅｂ側から端子ブロック３の開口部３７ａに挿入するように構成している。そのため、湾曲部４２ｅｂから開放端に向かって、テーパ面４２ｆｔ、掛かり代４２ｆｍの順で配置し、テーパ面４２ｆｔは湾曲部４２ｅｂに向かうにつれ薄くなり、掛かり代４２ｆｍは開放端側を向くように、それぞれＵ字状の外側（これを主面とする）に配置している。なお、湾曲部４２ｅｂから凹状部４２ｆｃにかけての主面側は、間隔をあけて対向する右側板部４ｓＲによって覆われている。
【００６２】
また、掛かり代４２ｆｍから先端側に向かう所定長さの区間は、連通孔４２ｆｈが形成される薄板状になっており、さらにその先、つまり開放端部には、主面側に張り出すように作用部４２ｆｋが形成されている。作用部４２ｆｋは主面側に滑り止め用の凹凸が複数形成され、作用部４２ｆｋと薄板部分との段差部分から掛かり代４２ｆｍにかけての部分は、ｚ方向長さＬｃの凹状部４２ｆｃとなっている。
【００６３】
一方、端子ブロック３の右側部３ｓＲには、上述したＵ字状のスナップフィット凸部４２を進入させるために、奥に収容部３７ｉを有するように開口した開口部３７ａが形成されている。開口部３７ａを囲む壁面のうち、スナップフィット凸部４２のテーパ面４２ｆｔに対向する対向部３７ｇには、掛かり代４２ｆｍと噛み合うとともに、テーパ面４２ｆｔの主面からの突出部分を収納するようにｘ方向に抜けるように開いた矩形の窓部３７ｗが形成されている。そして、窓部３７ｗをｙｚ面内で囲む４面のうち、裏面側（ｚ方向負）を向く面が受止部３７ｒとなる。また、受止部３７ｒより表面側の部分は、ｙ方向における両隣の部分よりもｚ方向に長く突出して対向部３７ｇを形成しており、スナップフィット結合完了時に連通孔４２ｆｈと連なるように形成された連通孔３７ｈが設けられている。さらに、対向部３７ｇのｚ方向長さＬｐは、凹状部４２ｆｃに嵌めこめるように、凹状部４２ｆｃのｚ方向長さＬｃと同等以下調整している。
【００６４】
つぎに、動作について説明する。
本実施の形態３においても、嵌合機構部分の動作（第一移動Ｔｒ１〜第二移動Ｔｒ２）については、実施の形態１、２で説明（図３）したのと同様であり、第三移動Ｔｒ３以降のスナップフィット機構部分の動作についてのみ説明する。
【００６５】
実施の形態１で説明した第三移動Ｔｒ３段階においては、スナップフィット凸部３２とスナップフィット凹部４７の位置関係は、腕部３２ｅの主面側の面の延長線上に対向部４７ｇが位置するように配置されている。本実施の形態３においても、腕部４２ｅの（湾曲部４２ｅｂより先の部分の）主面の延長線上に対向部３７ｇが一致するように配置されている。そして、本実施の形態３では、湾曲部４２ｅｂの湾曲面の進行方向の先頭中央部分と対向部３７ｇとの間に間隔が生じるので、湾曲部４２ｅｂの先頭中央部分が対向部３７ｇの先端に当たることはなく、第三移動Ｔｒ３を始めると、少なくとも、開口部３７ａに向かって進めることはできる。
【００６６】
そして、開口部３７ａに向かって進むにつれ、テーパ面４２ｆｔが対向部３７ｇに接近し、対向部３７ｇの先端部と接触する。さらに進むと、図１３（ｂ）示すように、対向部３７ｇとテーパ面４２ｆｔが押し合うようになり、基本的には爪部４２ｆが内側に向けて押され、湾曲部４２ｅｂがさらに湾曲していく。
【００６７】
この状態で、さらに第三移動Ｔｒ３を進め、収容部３７ｉの奥まで湾曲部４２ｅｂが達すると、掛かり代４２ｆｍとテーパ面４２ｆｔとの境界部分が開口部３７ａを通り抜け、図１３（ｃ）に示すように、湾曲部４２ｅｂは弾性によって元の形状に戻る。そして、実施の形態１で説明したのと同様に、掛かり代４２ｆｍが受止部３７ｒと噛み合い、スナップフィットによる係合が完成する。さらに、本実施の形態３においては、対向部３７ｇが凹状部４２ｆｃに嵌めこまれ、ｚ方向のどちらの方向への移動も制限される。
【００６８】
さらに、凹状部４２ｆｃに設けられた連通孔４２ｆｈと、対向部３７ｇに設けられた連通孔３７ｈが隣接する。この状態で、連通孔３７ｈと連通孔４２ｆｈに順次、封印ワイヤー５１を挿通してループ状にし、図１４（図１３（ｃ）相当の外観）に示すように封印材５２により封印する。連通孔３７ｈと連通孔４２ｆｈは、一体となっているため、実施の形態２で説明したのと同様に、実施の形態１と比べて、より安定した封印状態の維持が可能となる。また、封印ワイヤー５１による引っ張り荷重によって封印構造が破壊されることもない。つまり、封印がなされた後は、封印ワイヤー５１による引っ張り荷重によって、掛かり代４２ｆｍと受止部３７ｒとの噛み合い、つまりスナップフィットによる結合が解除されることがない。
【００６９】
上記のように、本実施の形態３にかかる封印構造では、強固なスナップフィット結合が実現できるとともに、Ｕ字状のスナップフィット凸部４２を端子カバー４側に設けたため、結合解除だけではなく、カバー自体の取り外しも片手操作で可能となる。基本的には、封印ワイヤー５１を取り外した後には、実施の形態１と同様に、工具なしにスナップフィットの結合を解除し、第１移動Ｔｒ１から第三移動Ｔｒ３までの工程を逆に進めることになるが、結合解除から第三移動Ｔｒ３までの作業を片手のみで行うのである。
【００７０】
それを可能とするため、端子カバー４の左側には、図１５に示すように、作用部４２ｆｋと所定距離内に作用側面４４が形成されている。これにより、（例えば、右手の場合、）母指で作用側面４４、中指で作用部４２ｆｋというように、作用側面４４と作用部４２ｆｋをそれぞれ内側に向けて加圧するように片手で挟み込むことができる。なお、本実施の形態においては、作用側面４４として、左側板部４ｓＬよりも内側に位置する面を有するような階段状の形態を示しているが、これに限ることはない。例えば、作用部４２ｆｋとともに片手で挟み込める部分があればよく（好ましくは中央に対して作用部４２ｆｋの反対側よりの位置に）、例えば、左側板部４ｓＬをそのまま作用側面として用いるような形態でもよいことは言うまでもない。
【００７１】
上述した構成を踏まえ、端子カバー４の端子ブロック３からの取り外しの動作について図１５〜図１７、および図１３を用いて説明する。
図１５に示すように、片方の手の指で、作用側面４４と作用部４２ｆｋをそれぞれ内側に向けて挟み込むと、作用側面４４には変形部分がないため、腕部４２ｅに連なる作用部４２ｆｋのみが内側に変位する。すると、作用部４２ｆｋ掛かり代４２ｆｍと受止部３７ｒとの噛み合い（スナップフィットによる係合）がはずれ、右側板部４ｓＲ側の表面側向き（ｚ方向正）への平行移動が可能になる。
【００７２】
一方、左側板部４ｓＬ側は嵌合機構により平行移動は許されないが、実施の形態１で説明したように、突出部４３ｐの底面４３ｐｂと嵌合凹部３３の裏面側の開口の角部３３ｃとの接触部分である回転軸Ｘｒ（図１７（ｂ））を中心とする回転は可能である。しかも、上述した母指と中指は、端子カバー４の部分とのみ接触しており、母指と中指を端子カバー４から離すことなく、中指側を表面側に引くように力をかけるだけで回転動作に移行できる。そのため、図１６（ｂ）に示すように、端子カバー４全体の回転軸Ｘｒを中心とする反時計回りの回転、つまり第三移動Ｔｒ３の逆方向である第一逆移動Ｒｒ１を、持ち替え等の動作を必要とせず、結合の解除動作から連続して行うことができる。
【００７３】
その際、右側のスナップフィット機構部分では、図１３（ｂ）に示すように、湾曲部４２ｅｂが収容部３７ｉから抜けていき、左側の嵌合機構部分では、図１７（ｃ）に示すように、腕部４３ｉの側面３ｓｆに対する角度θが広がっていく。そして、傾斜面４３ｐｔと誘導面３３ｇとが平行（α＝β−θ）あるいは、傾斜面４３ｐｔの方が誘導面３３ｇより反時計側に傾く（α＞β−θ）まで角度θが広がると、図１６（ｂ）に示す第二逆移動Ｒｒ２のように、端子カバー４全体を左方向に平行移動させる。
【００７４】
すると、図１７（ｄ）に示すように、掛かり代４３ｐｍと受止部３３ｒとの係合が外れ、傾斜面４３ｐｔと誘導面３３ｇが対向し、傾斜面４３ｐｔと誘導面３３ｇの少なくともいずれかがガイドとして機能するようになる。そこで、図１６（ｃ）に示す第三逆移動Ｒｒ３のように、端子カバー４全体を表面側に向けて平行移動させることで、図１７（ｅ）に示すように、嵌合機構部分もフリーになり、端子カバー４を端子ブロック３から完全に取り外すことができる。
【００７５】
変形例．
上記実施の形態３においては、封印構造（スナップフィット機構）を電力量計１の右側にのみ設置した例について説明したが、これに限ることはない。図１８は本発明の実施の形態３の変形例にかかる電力量計の構成を説明するためのもので、図１８（ａ）は第一変形例、図１８（ｂ）は第二変形例にかかる電力量計の構成として、端子ブロック部分の部分斜視図である。
【００７６】
第一変形例にかかる電力量計１としては、図１８（ａ）に示すように、電力量計の左側（左側板部４ｓＬ側）に封印構造を設け、右側（右側板部４ｓＲ側）には、端子カバー４に隠れて図示しない嵌合機構を設けている。この場合も、左右の動きは対称になるが、実施の形態３で説明したように、取り付け・取り外しが可能になる。
【００７７】
一方、第二変形例にかかる電力量計１としては、図１８（ｂ）に示すように、電力量計の両側にプレスフィット機構による封印構造を設けている。この場合、両側のプレスフィット機構を同時に取り付け、同時に取り外す際は、ｚ方向の移動だけでよい。つまり、取り付け・取り外しの際、第三移動Ｔｒ３、あるいは第一逆移動Ｒｒ１のような回転移動、第二移動Ｔｒ２あるいは第二逆移動Ｒｒ２のような横方向（ｘ）の移動を必要としない。ただし、両側のプレスフィット機構は必ずしも同時に動作させる必要はなく、片方ずつ動作させてもよい。この場合は、両側の機構それぞれの進み具合の差に応じて、端子カバー４が端子ブロック３に対して一時的に傾くことはある。
【００７８】
以上のように、本実施の形態３にかかる封印構造によれば、第一部材（端子カバー４が対応）を第二部材（端子ブロック３が対応）に装着した際にスナップフィット結合が形成できるよう、第一部材（端子カバー４）に設けられたスナップフィット凸部４２と、第二部材（端子ブロック３）に設けられたスナップフィット凹部３７と、を備え、スナップフィット凸部４２は、根元側が第一部材である端子カバー４側に固定されて先端側が自由端となるように延伸する板状の腕部４２ｅと、スナップフィット凹部３７（の受止部３７ｒ）との掛かり代４２ｆｍを形成するように腕部４２ｅの一方の面から突出する爪部４２ｆとを有するとともに、爪部４２ｆには装着が行われた際に外部に露出する（第一）連通孔４２ｆｈが設けられ、第二部材である端子ブロック３には、装着が行われた際に、（第一）連通孔４２ｆｈと一続きで封印ワイヤー５１を挿通するための（第二）連通孔３７ｈが設けられているように構成したので、封印ワイヤー５１の切断に用いた工具から他の工具に取り換え不要で取り外しができ、作業性に優れ、かつ封印を解除しなければ不当改造できない封印構造を得ることができる。つまり、作業性と改造防止性能を両立した封印構造を得ることができた。
【００７９】
とくに腕部４２ｅは延伸方向を反転させる湾曲部４２ｅｂを有し、掛かり代４２ｆｍが先端側を向いているので、装着時に開口部３７ａに進入させるためのテーパ面４２ｆｔを開口部３７ａの奥に収納することができる。また、被せる側である第一部材（端子カバー４）にスナップフィット凸部４２を設けることができる。
【００８０】
また、（第二）連通孔３７ｈは、装着が行われた際に、爪部４２ｆが突出する面に対向するように配置されているので、封印がなされた後は、封印ワイヤー５１による引っ張り荷重によって、掛かり代４２ｆｍと受止部３７ｒとの噛み合い、つまりスナップフィットによる結合が解除されることがない。
【００８１】
とくに、（第二）連通孔３７ｈは、装着が行われた際に、（第一）連通孔４２ｆｈと密着するように配置されている。あるいは連通孔に対して径方向の両側で支え合うように構成している。このため、ループ長さを最小限にし、ループを引き延ばしたり、変形したりするのを防ぐために必要な張力が小さくなる。また、ループに余分なたるみなしに封印できるので、何かが引っかかって力がかかることもなくなる。
【００８２】
また、本発明の実施の形態３にかかる電力量計１は、上述した封印構造を用いた電力量計１であって、配線に流れる電力を計量する計量部２と、配線と計量部２とを電気接続するための複数の端子３ｃ（厳密には作業口３ａ）が並んだ配線作業面３ｔを有する端子ブロック３と、端子ブロック３に対して着脱自在に構成され、配線作業面３ｔを覆うための端子カバー４と、を備え、端子ブロック３が上述した封印構造における第一部材、端子カバー４が第二部材に対応するように構成したので、作業性と不当改造防止性を両立させた電力量計を得ることができる。
【００８３】
また、本実施の形態３においても、端子カバー４の装着が行われた際に、爪部４２ｆが突出する面が当該電力量計１の外側を向くように爪部４２ｆを形成すれば、電力量計１の反対側の面と爪部４２ｆを片手の指（例えば、母指と中指）で挟むだけで、スナップフィット解除操作ができる。その際、上述したように、被せる側である端子カバー４にスナップフィット凸部４２を設けているので、スナップフィット解除をする片手で端子カバー４を掴んだまま、端子カバー４の取り外し動作が可能になる。
【符号の説明】
【００８４】
１：電力量計、  ２：計量部、  ３：端子ブロック、  ３ｃ：端子、  ３ｔ：配線作業面、  ４：端子カバー、
３２：スナップフィット凸部、  ３２ｅ：腕部、  ３２ｆ：爪部、  ３２ｆｈ：連通孔、
３３：嵌合凹部、
３７：スナップフィット凹部、  ３７ｇ：対向部、  ３７ｈ：連通孔、  ３７ｒ：受止部、
４２：スナップフィット凸部、  ４２ｅ：腕部、  ４２ｅｂ：湾曲部、  ４２ｆ：爪部、  ４２ｆｈ：連通孔、  ４２ｆｋ：作用部、
４３：嵌合凸部、
４４：作用側面、
４７：スナップフィット凹部、  ４７ｄ：背面支持部、  ４７ｇ：対向部、  ４７ｈ：連通孔、  ４７ｒ：受止部、
５１：封印ワイヤー、  ５２：封印材。
【図１】
2017134766.tif 000003
【図２】
2017134766.tif 000004
【図３】
2017134766.tif 000005
【図４】
2017134766.tif 000006
【図５】
2017134766.tif 000007
【図６】
2017134766.tif 000008
【図７】
2017134766.tif 000009
【図８】
2017134766.tif 000010
【図９】
2017134766.tif 000011
【図１０】
2017134766.tif 000012
【図１１】
2017134766.tif 000013
【図１２】
2017134766.tif 000014
【図１３】
2017134766.tif 000015
【図１４】
2017134766.tif 000016
【図１５】
2017134766.tif 000017
【図１６】
2017134766.tif 000018
【図１７】
2017134766.tif 000019
【図１８】
2017134766.tif 000020
【国際調査報告】
2017134766.tif 000021
2017134766.tif 000022
2017134766.tif 000023
2017134766.tif 000024